(57)【特許請求の範囲】
【請求項１】
モバイルワイヤレスデバイスにおける自動情報エントリの方法であって、
前記ワイヤレスデバイスのユーザインターフェースにおいてキャラクタ列の入力を受け取ることと、
前記キャラクタ列の少なくとも一部分に基づいてロケーション関連コンテキストを識別することと、
前記ロケーション関連コンテキストを識別することに応答して前記ワイヤレスデバイスのロケーション情報を取得することと、
前記ワイヤレスデバイスの前記ロケーション情報の第１の範囲内のランドマーク情報の第１のセットを取得することと
を備え、
ランドマーク情報の前記取得された第１のセットについてのサーチ結果の数がサーチ結果しきい値を満たすかどうかを決定することと、
サーチ結果の前記数が前記サーチ結果しきい値を満たすとの決定に応答して、ランドマーク情報の前記第１のセットから選択されたランドマーク情報を受信することと、
前記選択されたランドマーク情報に対する方向情報を取得することと、ここにおいて、前記方向情報は、前記選択されたランドマーク情報からの前記ワイヤレスデバイスの方向および距離のうちの１つまたは複数を含む、
前記選択されたランドマーク情報とともに前記方向情報を前記キャラクタ列に追加することと、
によって特徴付けられる方法。
【請求項２】
前記選択されたランドマーク情報を表す画像を取得することと、
前記キャラクタ列とともに前記画像を提示することと、
をさらに備える、請求項１に記載の方法。
【請求項３】
前記ロケーション関連コンテキストを識別することは、ロケーション推測語と前記キャラクタ列の少なくとも一部分との間のマッチを検出することをさらに備える、請求項１に記載の方法。
【請求項４】
前記ロケーション推測語は、「中（in）」、「において（at）」、「上（on）」、「訪れている（visiting）」、「向かっている（heading）」、「進んでいる（going）」、「そばに（by）」、「近くに（near）」、「から（from）」、「隣に（next to）」、「正面に（in front of）」、「わきに（beside）」、「下に（beneath）」、および「最上に（on top of）」からなる群から選択される、請求項３に記載の方法。
【請求項５】
ランドマーク情報の前記第１のセットが前記サーチ結果しきい値を満たさないとの決定に応答して、前記ワイヤレスデバイスの前記ロケーション情報から第２の範囲内のランドマーク情報の第２のセットを取得することをさらに備える、請求項１に記載の方法。
【請求項６】
前記第１の範囲は、前記第２の範囲よりも小さい、請求項５に記載の方法。
【請求項７】
ランドマーク情報の前記第１のセットをリストにおいて提示することをさらに備え、ここにおいて、ランドマーク情報の前記第１のセットは、前記リストにおいて順序づけられる、請求項１に記載の方法。
【請求項８】
前記ワイヤレスデバイス上のキャッシュにおいて前記ロケーション情報に対応するランドマーク情報の前記第１のセットを記憶することをさらに備える、請求項１に記載の方法。
【請求項９】
前記ワイヤレスデバイスがあるロケーションに戻るときに前記キャッシュからランドマーク情報の前記第１のセットを取得すること、または、
前記キャッシュにおいて前記選択されたランドマーク情報についてカスタマイズされた名称を受信および記憶すること
のいずれかをさらに備える、請求項８に記載の方法。
【請求項１０】
前記キャッシュは、メッセージディクショナリをさらに備え、前記方法は、
選択されたランドマーク情報の前記記憶されたセットを前記メッセージディクショナリに追加することをさらに備える、請求項８に記載の方法。
【請求項１１】
前記ランドマーク情報は、ランドマークの名称、構造物、建物、通り、住所、交差点、ロケーションを表すグラフィック、およびロケーションを表すアイコンのうちの１つまたは複数を備える、請求項１に記載の方法。
【請求項１２】
前記ロケーション情報は、
前記ワイヤレスデバイス上の全地球測位システム（ＧＰＳ）コンポーネントまたは前記ワイヤレスデバイスの最後のフィックスからのいずれかで取得される、請求項１に記載の方法。
【請求項１３】
モバイルワイヤレスデバイスにおける自動情報エントリの方法であって、
前記ワイヤレスデバイスのユーザインターフェースにおいてキャラクタ列の入力を受け取ることと、
前記ワイヤレスデバイス上のロケーションボタンの選択を受信することに応答して前記ワイヤレスデバイスのロケーション情報を取得することと、
前記ワイヤレスデバイスの前記ロケーション情報の第１の範囲内のランドマーク情報の第１のセットを取得することと
を備え、
ランドマーク情報の前記取得された第１のセットについてのサーチ結果の数がサーチ結果しきい値を満たすかどうかを決定することと、
サーチ結果の前記数が前記サーチ結果しきい値を満たすとの決定に応答して、ランドマーク情報の前記第１のセットから選択されたランドマーク情報を受信することと、
前記選択されたランドマーク情報に対する方向情報を取得することと、ここにおいて、前記方向情報は、前記選択されたランドマーク情報からの前記ワイヤレスデバイスの方向および距離のうちの１つまたは複数を含む、
前記選択されたランドマーク情報とともに前記方向情報を前記キャラクタ列に追加することと、
によって特徴付けられる方法。
【請求項１４】
コンピュータ可読媒体を備えるコンピュータプログラム製品であって、
前記コンピュータ可読媒体は、
コンピュータに請求項１乃至１３のうちのいずれか１項に記載の方法を実行させる少なくとも１つの命令を備える、コンピュータプログラム製品。
【請求項１５】
装置であって、
ワイヤレスデバイスのユーザインターフェースにおいてキャラクタ列の入力を受け取る手段と、
前記キャラクタ列の少なくとも一部分に基づいてロケーション関連コンテキストを識別する手段と、
前記ロケーション関連コンテキストを識別することに応答して前記ワイヤレスデバイスのロケーション情報を取得する手段と、
前記ワイヤレスデバイスの前記ロケーション情報に対応する１つまたは複数のランドマーク情報のセットを取得する手段と、
を備え、
１つまたは複数のランドマーク情報の前記セットから選択されたランドマーク情報を受信する手段と、
前記選択されたランドマーク情報に対する方向情報を取得する手段と、ここにおいて、前記方向情報は、前記選択されたランドマーク情報からの前記ワイヤレスデバイスの方向および距離のうちの１つまたは複数を含む、
前記選択されたランドマーク情報とともに前記方向情報を前記キャラクタ列に追加する手段と、
によって特徴付けられる装置。
【発明の詳細な説明】
【背景技術】
【０００１】
[0001]  電力、メモリ、および他の特徴を増大させたワイヤレスデバイスの急増により、他の個人（individuals）に対してテキストメッセージ、ｅメールメッセージ、ＳＭＳメッセージなどのメッセージを送るために、いっそう多くのワイヤレスデバイスが使用されている。他の個人に対してメッセージを送るときには、ワイヤレスデバイスのユーザは、他の個人が該ユーザの位置を特定できるように、メッセージ中にロケーション情報を含めることを望み得る。加えて、ユーザが作成しているメッセージがユーザの現在のロケーションに関するものである場合、ユーザは、メッセージのコンテキストをサポートするためにロケーションを含めることを望み得る。しかし、ユーザが新しいロケーションにいる場合、またはユーザの正確なロケーションに確信がもてない場合、ユーザは、メッセージにロケーション情報に含めることができないことがある。加えて、メッセージにロケーション情報を含めるために現在使用されている方法は、ユーザの正確なロケーションを提供しないことがある。
【０００２】
[0002]  したがって、ワイヤレスデバイス上で作成されているメッセージにロケーション情報を含めることが望ましい。
【発明の概要】
【０００３】
[0003]  以下に、１つまたは複数の態様の基本的な理解をもたらすために、そのような態様の簡略化された概要を示す。この概要は、企図されるすべての態様の広範な概観ではなく、すべての態様の重要なまたはクリティカルな要素を特定することも、いずれかの態様またはすべての態様の範囲を記述することも意図されていない。その唯一の目的は、後に示されるより詳細な説明への前置きとして、簡略化された形式で１つまたは複数の態様のいくつかの概念を示すことである。
【０００４】
[0004]  一態様は、ワイヤレスデバイスにおける自動情報エントリの方法に関する。該方法は、ワイヤレスデバイスのユーザインターフェースにおいてキャラクタ列の入力を受け取ることを含み得る。該方法は、また、キャラクタ列の少なくとも一部分に基づいてロケーション関連コンテキストを識別することを含み得る。加えて、該方法は、ロケーション関連コンテキストを識別することに応答してワイヤレスデバイスのロケーション情報を取得することを含み得る。該方法は、また、ワイヤレスデバイスのロケーション情報に対応する１つまたは複数のランドマーク情報のセットを取得することを含み得る。該方法は、さらに、１つまたは複数のランドマーク情報のセットから選択されたランドマーク情報を受信することを含み得る。さらに、該方法は、選択されたランドマーク情報に対する方向情報を取得することを含み得、ここで、方向情報は、選択されたランドマーク情報からのワイヤレスデバイスの方向および距離のうちの１つまたは複数を含む。該方法は、また、選択されたランドマーク情報とともに方向情報をキャラクタ列に追加することを含み得る。
【０００５】
[0005]  他の態様は、ワイヤレスデバイスにおける自動情報エントリのために構成された少なくとも１つのプロセッサに関する。プロセッサは、ワイヤレスデバイスのユーザインターフェースにおいてキャラクタ列の入力を受け取る第１のモジュールを含み得る。プロセッサは、また、キャラクタ列の少なくとも一部分に基づいてロケーション関連コンテキストを識別する第２のモジュールを含み得る。プロセッサは、また、ロケーション関連コンテキストを識別することに応答してワイヤレスデバイスのロケーション情報を取得する第３のモジュールを含み得る。プロセッサは、また、ワイヤレスデバイスのロケーション情報に対応する１つまたは複数のランドマーク情報のセットを取得する第４のモジュールを含み得る。プロセッサは、また、１つまたは複数のランドマーク情報のセットから選択されたランドマーク情報を受信する第５のモジュールを含み得る。プロセッサは、また、選択されたランドマーク情報に対する方向情報を取得する第６のモジュールを含み得る。方向情報は、選択されたランドマーク情報からのワイヤレスデバイスの方向および距離のうちの１つまたは複数を含むことができる。プロセッサは、また、選択されたランドマーク情報とともに方向情報をキャラクタ列に追加する第７のモジュールを含み得る。
【０００６】
[0006]  他の態様は、コンピュータプログラム製品に関する。コンピュータプログラム製品は、コンピュータにワイヤレスデバイスのユーザインターフェースにおいてキャラクタ列の入力を受け取らせる少なくとも１つの命令を含む、コンピュータ可読媒体を含み得る。コンピュータ可読媒体は、また、コンピュータにキャラクタ列の少なくとも一部分に基づいてロケーション関連コンテキストを識別させる少なくとも１つの命令を含み得る。コンピュータ可読媒体は、また、コンピュータにロケーション関連コンテキストを識別することに応答してワイヤレスデバイスのロケーション情報を取得させる少なくとも１つの命令を含み得る。加えて、コンピュータ可読媒体は、コンピュータにワイヤレスデバイスのロケーション情報に対応する１つまたは複数のランドマーク情報のセットを取得させる少なくとも１つの命令を含み得る。コンピュータ可読媒体は、コンピュータに１つまたは複数のランドマーク情報のセットから選択されたランドマーク情報を受信させる少なくとも１つの命令を含み得る。コンピュータ可読媒体は、コンピュータに選択されたランドマーク情報に対する方向情報を取得させる少なくとも１つの命令を含み得、ここで、方向情報は、選択されたランドマーク情報からのワイヤレスデバイスの方向および距離のうちの１つまたは複数を含む。コンピュータ可読媒体は、コンピュータに選択されたランドマーク情報とともに方向情報をキャラクタ列に追加させる少なくとも１つの命令を含み得る。
【０００７】
[0007]  他の態様は、装置に関する。装置は、ワイヤレスデバイスのユーザインターフェースにおいてキャラクタ列の入力を受け取る手段を含み得る。装置は、また、キャラクタ列の少なくとも一部分に基づいてロケーション関連コンテキストを識別する手段を含み得る。加えて、装置は、ロケーション関連コンテキストを識別することに応答して、ワイヤレスデバイスのロケーション情報を取得する手段を含み得る。装置は、また、ワイヤレスデバイスのロケーション情報に対応する１つまたは複数のランドマーク情報のセットを取得する手段を含み得る。装置は、さらに、１つまたは複数のランドマーク情報のセットから選択されたランドマーク情報を受信する手段を含み得る。さらに、装置は、選択されたランドマーク情報に対する方向情報を取得する手段を含み得る。方向情報は、選択されたランドマーク情報からのワイヤレスデバイスの方向および距離のうちの１つまたは複数を含むことができる。装置は、また、選択されたランドマーク情報とともに方向情報をキャラクタ列に追加する手段を含み得る。
【０００８】
[0008]  さらに他の態様は、装置に関する。装置は、ワイヤレスデバイスのユーザインターフェースにおいてキャラクタ列の入力を受け取るように動作可能な入力コンポーネントを含み得る。装置は、また、キャラクタ列の少なくとも一部分に基づいてロケーション関連コンテキストを識別するように動作可能なロケーション関連コンポーネントを含み得る。装置は、また、ロケーション関連コンテキストを識別することに応答してワイヤレスデバイスのロケーション情報を取得するように動作可能なロケーションコンポーネントを含み得る。装置は、また、ワイヤレスデバイスのロケーション情報に対応する１つまたは複数のランドマーク情報のセットを取得するように動作可能な受信コンポーネントを含み得る。装置は、また、１つまたは複数のランドマーク情報のセットから選択されたランドマーク情報を受信するように動作可能な選択コンポーネントを含み得る。装置は、また、選択されたランドマーク情報に対する方向情報を取得するようにさらに動作可能な受信コンポーネントを含み得る。方向情報は、選択されたランドマーク情報からのワイヤレスデバイスの方向および距離のうちの１つまたは複数を含むことができる。装置は、また、選択されたランドマーク情報とともに方向情報をキャラクタ列に追加するように動作可能な提示コンポーネントを含み得る。
【０００９】
[0009]  他の態様は、ロケーション情報を送信する方法に関する。該方法は、ワイヤレスデバイスのロケーションを受信することを含み得る。該方法は、ワイヤレスデバイスのロケーションから第１の範囲内のランドマーク情報の第１のセットを取得することを含み得る。加えて、該方法は、ランドマーク情報の第１のセットに含まれるランドマーク情報の数がサーチ結果しきい値を満たすかどうかを決定することを含み得る。該方法は、また、ランドマーク情報の第１のセットがサーチ結果しきい値を満たすときにワイヤレスデバイスにランドマーク情報の第１のセットを送信することを含み得る。
【００１０】
[0010]  他の態様は、ロケーション情報を送信するように構成された少なくとも１つのプロセッサに関する。プロセッサは、ワイヤレスデバイスのロケーションを受信する第１のモジュールを含み得る。プロセッサは、また、ワイヤレスデバイスのロケーションから第１の範囲内のランドマーク情報の第１のセットを取得する第２のモジュールを含み得る。プロセッサは、さらに、ランドマーク情報の第１のセットに含まれるランドマーク情報の数がサーチ結果しきい値を満たすかどうかを決定する第３のモジュールを含み得る。プロセッサは、また、ランドマーク情報の第１のセットがサーチ結果しきい値を満たすときにワイヤレスデバイスにランドマーク情報の第１のセットを送信する第４のモジュールを含み得る。
【００１１】
[0011]  さらに他の態様は、コンピュータプログラム製品に関する。コンピュータプログラム製品は、コンピュータにワイヤレスデバイスのロケーションを受信させる少なくとも１つの命令を含むコンピュータ可読媒体を含み得る。コンピュータ可読媒体は、また、コンピュータにワイヤレスデバイスのロケーションから第１の範囲内のランドマーク情報の第１のセットを取得させる少なくとも１つの命令を含み得る。コンピュータ可読媒体は、また、コンピュータにランドマーク情報の第１のセットに含まれるランドマーク情報の数がサーチ結果しきい値を満たすかどうかを決定させる少なくとも１つの命令を含み得る。コンピュータ可読媒体は、また、コンピュータにランドマーク情報の第１のセットがサーチ結果しきい値を満たすときにランドマーク情報の第１のセットをワイヤレスデバイスに送信させる少なくとも１つの命令を含み得る。
【００１２】
[0012]  他の態様は、装置に関する。装置は、ワイヤレスデバイスのロケーションを受信する手段を含み得る。装置は、また、ワイヤレスデバイスのロケーションから第１の範囲内のランドマーク情報の第１のセットを取得する手段を含み得る。装置は、また、ランドマーク情報の第１のセットに含まれるランドマーク情報の数がサーチ結果しきい値を満たすかどうかを決定する手段を含み得る。装置は、また、ランドマーク情報の第１のセットがサーチ結果しきい値を満たすときにワイヤレスデバイスにランドマーク情報の第１のセットを送信する手段を含み得る。
【００１３】
[0013]  他の態様は、ロケーション情報を送信する装置に関する。装置は、ワイヤレスデバイスのロケーションを受信するように動作可能な受信コンポーネントを含み得る。装置は、また、ワイヤレスデバイスのロケーションから第１の範囲内のランドマーク情報の第１のセットを取得することと、ランドマーク情報の第１のセットに含まれるランドマーク情報の数がサーチ結果しきい値を満たすかどうかを決定することとを行うように動作可能な、ランドマーク取得コンポーネントを含み得る。装置は、また、ランドマーク情報の第１のセットがサーチ結果しきい値を満たすときに、ワイヤレスデバイスにランドマーク情報の第１のセットを送信（transmit）するように動作可能な送出（sending）コンポーネントを含み得る。
【００１４】
[0014]  以上の目的および関連する目的を達成するために、１つまたは複数の態様が、以下で詳細に説明され、請求項において特に指摘される特徴を備える。以下の説明および添付の図面は、１つまたは複数の態様の例示的な特定の特徴を詳細に示す。しかしながら、これらの特徴は、様々な態様原理が採用され得る様々な方法のうちのほんの少数を示すものであり、本説明は、このような態様およびそれらの同等物のすべてを含むことが意図されている。
【００１５】
[0015]  ここに開示の諸態様について、以下で、ここに開示の諸態様を限定するのではなく例示するために与えられる添付図面と併せて説明する。なお、類似の表記は類似の要素を示す。
【図面の簡単な説明】
【００１６】
【図１】図１は、一態様による例示的な接続システムを示す図である。
【図２】図２は、一態様による例示的な情報エントリ管理コンポーネントを示す図である。
【図３】図３は、一態様による例示的なキャッシュを示す図である。
【図４】図４は、一態様による自動情報エントリのための方法を示すフローチャートである。
【図５】図５は、一態様によるランドマーク情報を取得する方法を示すフローチャートである。
【図６】図６は、一態様によるキャッシュを使用する方法を示すフローチャートである。
【図７】図７は、一態様による画像を受信する方法を示すフローチャートである。
【図８】図８は、一態様によるワイヤレスデバイスにロケーション情報を送信する方法を示すフローチャートである。
【図９】図９は、一態様によるワイヤレスデバイスに方向情報を送信する方法を示すフローチャートである。
【図１０】図１０は、一態様によるワイヤレスデバイスに画像を送信する方法を示すフローチャートである。
【図１１】図１１は、一態様による例示的なインターフェースを示す図である。
【図１２】図１２は、他の態様による例示的なインターフェースを示す図である。
【図１３】図１３は、一態様による接続システム内で動作可能な例示的なワイヤレスデバイスを示す図である。
【図１４】図１４は、一態様による接続システム内で動作可能な例示的なサーバを示す図である。
【図１５】図１５は、一態様による自動情報エントリを容易にする例示的なシステムを示す図である。
【図１６】図１６は、一態様によるワイヤレスデバイスにロケーション情報を送信することを容易にする例示的なシステムを示す図である。
【詳細な説明】
【００１７】
[0032]  ここで、様々な態様について図面を参照して説明する。以下の記載では、説明の目的で、１つまたは複数の態様の完全な理解をもたらすために多数の具体的詳細が示される。しかしながら、このような諸態様がこれらの具体的詳細なしに実施され得ることが明らかである。
【００１８】
[0033]  ここに記載の諸態様は、ワイヤレスデバイスの現在のロケーションに基づいてワイヤレスデバイスにおける自動情報エントリを提供する方法および装置に関する。ここに記載の諸態様は、たとえばマップデータベースまたは他のデータリポジトリから、ワイヤレスデバイスの現在のロケーションの近くにある１つまたは複数のランドマークについてのランドマーク情報を取得し、ワイヤレスデバイスのユーザに１つまたは複数のランドマークのリストを提示し得る。ユーザは、ランドマークのうちの１つを選択し、ワイヤレスデバイスは、自動的に、得られたランドマーク情報を、ワイヤレスデバイス上で作成されているメッセージ（例えば、テキストメッセージ、ｅメールメッセージ、ＳＭＳメッセージ、または他のテキストボックス）に入力し得る。
【００１９】
[0034]  加えて、ここに記載の諸態様は、選択されたランドマークに対するワイヤレスデバイスの方向情報を取得し得る。方向情報は、選択されたランドマークに対するワイヤレスデバイスのロケーションを示し得る。例えば、方向情報は、ワイヤレスデバイスがランドマークの１５メートル南にあることを示し得る。方向情報は、選択されたランドマーク情報とともにメッセージに含められ得る。ここに記載の諸態様は、また、ランドマーク情報を表す１つまたは複数の画像を取得し得、取得された１つまたは複数の画像をランドマーク情報および／または方向情報とともにメッセージ内に含め得る。
【００２０】
[0035]  ここで、図１および図２を参照すると、一態様による自動情報エントリのための例示的なシステム１００が示されている。システム１００は、１つまたは複数のサーバ１０６とアクセスネットワークを介して通信する１つまたは複数のワイヤレスデバイス１０２を含み得る。
【００２１】
[0036]  ワイヤレスデバイス１０２は、アクセスネットワーク１０４に接続し得る、セルラーデバイスなどの、任意の移動式のポータブルコンピューティングまたは通信デバイスを含み得る。ワイヤレスデバイス１０２は、例えば、数あるデバイスの中でも、携帯電話、ナビゲーションシステム、コンピューティングデバイス、カメラ、携帯情報端末（ＰＤＡ）、音楽デバイス、ゲームデバイス、またはワイヤレス接続機能を有するハンドヘルドデバイスであり得る。サーバ／コンピューティングデバイス１０６は、ネットワークに接続された任意の移動式または固定式コンピューティングデバイスを含み得る。
【００２２】
[0037]  加えて、アクセスネットワーク１０４は、ワイヤレスデバイス１０２およびサーバ１０６への、任意のタイプの有線または無線エアリンクなど、１つまたは複数のタイプの通信接続を提供し得る。ワイヤレスデバイス１０２は、１つまたは複数のサーバ１０６へと、および／または１つまたは複数のサーバ１０６から、アクセスネットワーク１０４を介して、たとえば、数ある通信の中でも、音声コール、データコール、電話会議、ビデオ会議コール、インターネットプロトコルセッション、ボイスオーバーインターネットプロトコル（ＩＰ）コール、ショートメッセージサービス（ＳＭＳ）メッセージ、マルチメディアメッセージングサービス（ＭＭＳ）メッセージ、インスタントメッセージング（ＩＭ）サービスメッセージ、チャットまたはネットミーティング関連接続、動画、音楽、またはデータ転送など、呼を発する、および／または呼を受けることができる。加えて、ワイヤレスデバイス１０２は、１つまたは複数のサーバ１０６からアクセスネットワーク１０４を介して、あるいはアクセスネットワーク１０４と通信する他の任意のデバイスから、呼を受けることができる。
【００２３】
[0038]  ワイヤレスデバイス１０２は、ワイヤレスデバイス１０２上の情報エントリを管理するように動作可能な情報エントリ管理コンポーネント１０を含み得る。情報エントリ管理コンポーネント１０は、たとえばワイヤレスデバイス１０２のユーザによって入力され得る、キャラクタ列１４を受け取るように動作可能な入力コンポーネント１２を含み得る。例えば、キャラクタ列１４は、ワイヤレスデバイス１０２上で作成されているメッセージ（例えば、テキストメッセージ、ｅメール、ＳＭＳメッセージ、または他のテキストボックス）であり得る。一態様では、キャラクタ列１４は、ワイヤレスデバイス１０２のロケーション関連コンテキストを示し得る。例えば、キャラクタ列１４は、これらに限るものではないが、あるロケーションを推測し得る、および／またはあるロケーションに向かって移動していることを推測し得る、数ある語の中でも特に、「中（in）」、「において（at）」、「上（on）」、「訪れている（visiting）」、「向かっている（heading）」、「進んでいる（going）」、「そばに（by）」、「近くに（near）」、「から（from）」、「隣に（next to）」、「正面に（in front of）」、「わきに（beside）」、「下に（beneath）」、および「最上に（on top of）」などの、ロケーション推測語（location-inferring word(s)）を含み得る。
【００２４】
[0039]  情報エントリ管理コンポーネント１０は、また、キャラクタ列１４の少なくとも一部分に基づいてワイヤレスデバイス１０２のロケーション関連コンテキストを識別するように動作可能なロケーション関連コンテキストコンポーネント１６を含み得る。例えば、ロケーション関連コンテキストコンポーネント１６は、入力コンポーネント１２とインターフェースすることができ、入力コンポーネント１２から（１つまたは複数の）ロケーション推測語のうちの１つまたは複数を受け取ると、ロケーション関連コンテキストコンポーネント１６は、ワイヤレスデバイス１０２のロケーション関連コンテキストを識別し得る。
【００２５】
[0040]  一態様では、ロケーション関連コンテキストコンポーネント１６は、ロケーション推測語と、キャラクタ列１４の少なくとも一部分との間のマッチ（match）を検出するように動作可能なマッチ判定器（match determiner）５０（図２）を含み得る。したがって、マッチ判定器５０がロケーション推測語とキャラクタ列１４の少なくとも一部分との間のマッチを検出すると、ロケーション関連コンテキストコンポーネント１６は、ワイヤレスデバイス１０２のロケーション関連コンテキストを識別し得る。
【００２６】
[0041]  他の例は、ワイヤレスデバイス１０２のユーザが、ロケーション関連コンテキストを示すためにワイヤレスデバイス１０２上の「ロケーションボタン」を選択することを含み得る。ロケーションボタンは、ユーザがロケーションボタンを押すことによってワイヤレスデバイス１０２の現在のロケーション３０を取得することを可能にし得る。したがって、キャラクタ列１４からロケーション関連コンテキストを推測（inferring）するロケーション関連コンテキストコンポーネント１６の代わりに、ユーザは、ロケーション関連コンテキストを取得するためにワイヤレスデバイス１０２上のロケーションボタンを選択し得る。
【００２７】
[0042]  ロケーションボタンおよび／またはロケーション関連コンテキストコンポーネント１６は、ロケーションコンポーネント２８とインターフェースし得る。ロケーションコンポーネント２８は、ロケーション関連コンテキストコンポーネント１６がロケーション関連コンテキストを識別した後、および／またはワイヤレスデバイス１０２のユーザがロケーションボタンを選択した後、ワイヤレスデバイス１０２の現在のロケーション３０を取得し得る。一態様では、ロケーションコンポーネント２８は、ワイヤレスデバイス１０２の現在のロケーション３０を取得するために、これだけに限定するものではないが、全地球測位システム（ＧＰＳ）コンポーネントなど、地球および／または衛星ベースの測位システムを使用し得る。他の態様では、ロケーションコンポーネント２８は、ワイヤレスデバイス１０２の現在のロケーション３０を取得するために、ワイヤレスデバイス１０２上の測位システムの最後のフィックス（fix）（たとえば、最後にわかったロケーション）を使用し得る。例えば、加速度計など、ワイヤレスデバイス１０２上のあるコンポーネントが、ワイヤレスデバイス１０２のロケーションが最後のフィックスからほとんど変化していないことを示す場合、ロケーションコンポーネント２８は、ワイヤレスデバイス１０２の現在のロケーション３０を取得するために、その最後のフィックスを使用し得る。
【００２８】
[0043]  情報エントリ管理コンポーネント１０は、また、ワイヤレスデバイス１０２の現在のロケーション３０をサーバ１０６に送信するように動作可能な送信コンポーネント１９を含み得る。例えば、送信コンポーネント１９は、取得されたロケーション３０を、アクセスネットワーク１０４を介してサーバ１０６に送信し得る。
【００２９】
[0044]  サーバ１０６は、ワイヤレスデバイス１０２から送信されたロケーション３０を受信するように動作可能な受信コンポーネント３４を含み得る。受信コンポーネント３４は、１つまたは複数のランドマーク情報リポジトリ４６からランドマーク情報２０を取得するように動作可能なランドマーク取得コンポーネント３８とインターフェースし得る。ランドマーク情報２０は、これらに限るものではないが、ランドマークもしくは構造物もしくは建物の名称、通りの名称、住所、交差点名、ロケーションを描くもしくは表すグラフィックおよび／またはアイコンなどを含み得る。一態様では、ランドマーク情報リポジトリ４６は、ランドマーク情報２０を含み得、各ランドマーク情報２０は、ロケーション３０に対応し得る。例えば、ランドマーク情報リポジトリ４６は、マップデータリポジトリであり得る。
【００３０】
[0045]  一態様では、ランドマーク取得コンポーネント３８は、ランドマーク情報２０のはじめに読み出されたセットに含まれる読み出されたランドマークの数がサーチ結果しきい値４２（例えば、１つの結果、３つの結果、など）を満たすかどうかを決定し得る。例えば、はじめは、１つまたは複数のランドマーク情報２０の取得されたセットは、ワイヤレスデバイス１０２のロケーション３０から第１の範囲内にあり得る。ランドマーク取得コンポーネント３８は、ランドマーク情報２０の読み出されたセットがサーチ結果しきい値４２を満たすかどうかを決定するために、サーチ結果しきい値４２を生成するように動作可能なサーチ結果しきい値コンポーネント４２とインターフェースし得る。一態様では、サーチ結果しきい値４２は、設定された数、たとえば、１つまたは複数、最初のｘ個の結果、などであり得、あるいは、ルールおよび／またはアルゴリズムを使用して、たとえば、ワイヤレスデバイス１０２のディスプレイ機能に基づいて、またはあるエリアがランドマーク情報でどれだけ混雑しているかなどに基づいて、サーチ結果しきい値コンポーネント４０によって計算された何らかの数であり得る。加えて、サーチ結果しきい値４２は、オプションとして、ワイヤレスデバイス１０２から受信され得る。例えば、ワイヤレスデバイス１０２のユーザが、サーチ結果しきい値４２（例えば、少なくとも４つの結果が含まれるべきである）を入力し得る。もう１つの例では、ワイヤレスデバイス１０２のユーザは、追加のサーチ結果を要求し得る。ランドマーク取得コンポーネント３８は、はじめに読み出されたランドマーク情報２０に含まれるランドマーク情報の数がサーチ結果しきい値４２を満たさない（例えば、結果を返さなかった、および／または限られた数の結果しか返さなかった）と決定すると、ワイヤレスデバイス１０２のロケーション３０の第２の範囲内にある追加のランドマークを読み出し得る。第１の範囲が第２の範囲よりも小さいものであり得ることに留意すべきである。したがって、ランドマーク取得コンポーネント３８は、はじめはランドマークについてロケーション３０に近い範囲内をサーチすることができ、ランドマーク取得コンポーネント３８がランドマークを読み出さない、および／またはサーチ結果しきい値４２を満たす数のランドマークを読み出さない場合、ランドマーク取得コンポーネント３８は、該ランドマーク取得コンポーネント３８がサーチ結果しきい値４２を満たす数のランドマークを読み出すまで、サーチ範囲を拡大し得る。
【００３１】
[0046]  加えて、ランドマーク取得コンポーネント３８は、１つまたは複数の画像リポジトリ４８から画像２４を取得するように動作可能であり得る。例えば、画像２４は、ランドマーク情報２０に対応し得る。一態様では、例えば、画像２４は、これらに限るものではないが、ロケーションを描くもしくは表すグラフィックおよび／またはアイコンを含み得る。
【００３２】
[0047]  ランドマーク取得コンポーネント３８は、ランドマーク情報２０および／または画像２４の取得されたセットをワイヤレスデバイス１０２に送信するように動作可能な送出コンポーネント４４とインターフェースし得る。例えば、送出コンポーネント４４は、ワイヤレスデバイス１０２上の受信コンポーネント１８に取得されたランドマーク情報２０を送り得る。したがって、ワイヤレスデバイス１０２は、サーバ１０６からワイヤレスデバイス１０２のロケーション３０に対応する１つまたは複数のランドマーク情報２０のセットを取得し得る。１つまたは複数のランドマーク情報２０の取得されたセットが、リスト内で順序付けされ得る（例えば、ワイヤレスデバイスからの距離に関して、アルファベット順に、など）ことに留意すべきである。
【００３３】
[0048]  一態様では、受信コンポーネント１８は、ランドマーク情報２０の受信されたセットがサーチ結果しきい値５４（図２）を満たすかどうかを決定するために、しきい値コンポーネント５２（図２）とインターフェースし得る。サーチ結果しきい値５４は、読み出されたランドマーク情報２０の数が最小のしきい値（例えば、１つの結果、３つの結果、など）を満たすかどうかを示し得る。一態様では、しきい値コンポーネント５２は、ワイヤレスデバイス１０２のユーザからサーチ結果しきい値５４を受信し得る。例えば、ユーザは、４つの結果というサーチ結果しきい値５４を入力し得る。ワイヤレスデバイス１０２は、はじめに読み出されたランドマーク情報２０に含まれるランドマーク情報２０の数がサーチ結果しきい値５４を満たさない（例えば、結果を返さなかった、および／または限られた数の結果しか返さなかった）と決定すると、ロケーション３０の第２の範囲内にある追加のランドマーク情報２０を取得し得る。例えば、ワイヤレスデバイス１０２は、はじめに読み出されたランドマーク情報２０がサーチ結果しきい値５４を満たさないと決定すると、サーバ１０６から追加のサーチ結果を要求し得る。
【００３４】
[0049]  情報エントリ管理コンポーネント１０は、さらに、取得されたランドマーク情報２０のセットから選択されたランドマーク情報５８（図２）を受信するように動作可能な選択コンポーネント５６（図２）を含み得る。例えば、ワイヤレスデバイス１０２のユーザは、取得されたランドマーク情報２０のセットからランドマークを選択し得る。
【００３５】
[0050]  一態様では、送信コンポーネント１９は、選択コンポーネント５６とインターフェースし、選択されたランドマーク情報５８をサーバ１０６に送信し得る。サーバ１０６上の受信コンポーネント３４は、ワイヤレスデバイス１０２から、送信された選択されたランドマーク情報５８を受信し、方向情報コンポーネント３６とインターフェースし得る。方向情報コンポーネント３６は、選択されたランドマーク情報５８に対するワイヤレスデバイス１０２の方向情報２２を取得し得る。方向情報２２は、これらに限るものではないが、ランドマークからのワイヤレスデバイスの方向情報（例えば、北、南、東、西）および／または距離（例えば、５０ｍ）を含み得る。一態様では、方向情報２２は、次式を用いて計算され得る：  
【数１】
0006396413.tif 000002
【００３６】
[0051]  式中、lat1、lon1は、ワイヤレスデバイス１０２の緯度および経度ロケーションを示し、lat2、lon2は、選択されたランドマーク情報５８の緯度および経度ロケーションを示し、atan2は、数学関数arctanに関係するプログラミング関数である。式（１）の結果は、ラジアン単位の方位（bearing in radians）を含み、それは、その結果に１８０／πを乗じることによって度（degrees）に変換され得る。結果として得られる値は、マイナス１８０度から１８０度の間にわたり得る。負の値については、その負の値に３６０を加えて、標準的なコンパス方位を得ることができる。
【００３７】
[0052]  送出コンポーネント４４は、取得された方向情報２２をワイヤレスデバイス１０２に送信し得る。受信コンポーネント１８は、サーバ１０６から選択されたランドマーク情報５８に関する方向情報を受信し得る。受信コンポーネント１８は、ワイヤレスデバイス１０２上にメッセージ２５を提示するように動作可能な提示コンポーネント２６とインターフェースし得る。
【００３８】
[0053]  図２を参照すると、提示コンポーネント２６によって提示されるメッセージ２５は、キャラクタ列１４を含み得る。提示コンポーネント２６は、１つまたは複数のランドマーク情報２０のセットからの少なくとも選択されたランドマーク情報５８をキャラクタ列１４に追加し得る。例えば、ワイヤレスデバイスのユーザは、取得されたランドマーク情報２０のセットからランドマーク情報５８を選択し得、提示コンポーネント２６は、選択されたランドマーク情報５８でメッセージ２５（例えば、ＳＭＳメッセージ、ｅメール、または他のテキストエントリ）を完了し得る。
【００３９】
[0054]  提示コンポーネント２６は、また、選択されたランドマーク情報５８に対するワイヤレスデバイス１０２の方向情報２２をキャラクタ列１４に追加し得る。例えば、ワイヤレスデバイス１０２が選択されたランドマーク情報５８の１０メートル北にある場合、提示コンポーネント２６は、選択されたランドマーク情報５８に対するワイヤレスデバイス１０２の方向情報２２（例えば、１０ｍ北）によりメッセージ２５を完了し得る。加えて、提示コンポーネント２６は、また、選択されたランドマーク情報５８の画像２４をメッセージ２５に追加し得る。したがって、メッセージ２５は、キャラクタ列１４、選択されたランドマーク情報５８、方向情報２２、および選択されたランドマーク情報５８の画像２４を含み得る。
【００４０】
[0055]  図１に戻って参照すると、ワイヤレスデバイス１０２は、また、取得されたランドマーク情報２０を記憶するように動作可能なキャッシュ３２を含み得る。
【００４１】
[0056]  たとえば、図３を参照すると、ランドマーク情報２０を入手するためにサーバ１０６に問い合わせる（query）必要なしに、将来ワイヤレスデバイス１０２がロケーション３０に戻ったときに、ワイヤレスデバイス１０２がキャッシュ３２からランドマーク情報２０を取得し得るように、キャッシュ３２は、ロケーション３０に関連する取得されたランドマーク情報２０を記憶し得る。加えて、ユーザが、ランドマークにカスタマイズされた名称６０（例えば、「家（home）」、「職場（work）」、「学校（school）」など）を与え、そのカスタマイズされた名称６０をキャッシュ３２に記憶し得る。したがって、ワイヤレスデバイス１０２は、選択およびメッセージへのエントリのためにユーザにランドマークのカスタマイズされた名称６０を提示し得る。キャッシュ３２からのランドマーク情報２０は、また、ユーザがロケーション３０においてメッセージをタイピングしているときにメッセージに追加するためのオプションとしてランドマーク情報２０が自動的に表示されるように、メッセージディクショナリ６２に追加され得る。
【００４２】
[0057]  ここで図４を参照すると、一態様による自動情報エントリのための方法４００が、４０２において、ワイヤレスデバイスのユーザインターフェースにおいて入力キャラクタ列を受け取ることを含む。入力キャラクタ列は、ワイヤレスデバイス上で作成されている、テキストメッセージ、ｅメールメッセージ、ＳＭＳメッセージなどのメッセージを含み得る。例えば、ワイヤレスデバイス１０２（図１）上の入力コンポーネント１２（図１）が入力キャラクタ列を受け取り得る。
【００４３】
[0058]  該方法は、また、４０４において、キャラクタ列の少なくとも一部分に基づいてロケーション関連コンテキストを識別することを含み得る。キャラクタ列の一部分は、これらに限るものではないが、あるロケーションを推測し得る、および／またはあるロケーションに向かって移動していることを推測し得る、数ある語の中でも特に、「中（in）」、「において（at）」、「上（on）」、「訪れている（visiting）」、「向かっている（heading）」、「進んでいる（going）」、「そばに（by）」、「近くに（near）」、「から（from）」、「隣に（next to）」、「正面に（in front of）」、「わきに（beside）」、「下に（beneath）」、および「最上に（on top of）」などの、ロケーション推測語（location-inferring word(s)）を含み得る。一態様では、ロケーション関連コンテキストコンポーネント１６（図１）は、キャラクタ列の少なくとも一部分に基づいてワイヤレスデバイス１０２のロケーション関連コンテキストを識別し得る。例えば、ロケーション関連コンテキストコンポーネント１６は、ロケーション推測語とキャラクタ列の少なくとも一部分との間のマッチを識別し得る。他の態様では、ロケーション関連コンテキストコンポーネント１６は、ワイヤレスデバイス１０２のユーザがロケーション関連コンテキストを示すためにワイヤレスデバイス１０２上のロケーションボタンを選択するときに、ワイヤレスデバイス１０２のロケーション関連コンテキストを識別し得る。
【００４４】
[0059]  ４０６において、該方法は、ロケーション関連コンテキストを識別することに応答して、ワイヤレスデバイスのロケーション情報を取得することを含み得る。ワイヤレスデバイスのロケーション情報は、たとえば、ワイヤレスデバイスの現在のロケーションを取得するためにワイヤレスデバイス上の全地球測位システム（ＧＰＳ）コンポーネントを用いることによって、取得され得る。加えて、ロケーション情報は、ワイヤレスデバイスの最後のフィックス（fix）を用いて取得され得る。例えば、加速度計など、ワイヤレスデバイス上のあるコンポーネントが、ワイヤレスデバイスのロケーションが最後のフィックスからほとんど変化していないことを示す場合、ロケーション情報は、ワイヤレスデバイスの最後のフィックスを用いて取得され得る。一態様では、ワイヤレスデバイス１０２上のロケーションコンポーネント２８（図１）は、ワイヤレスデバイス１０２のロケーション情報を取得し得る。
【００４５】
[0060]  方法は、さらに、４０８において、ワイヤレスデバイスのロケーション情報に対応する１つまたは複数のランドマーク情報のセットを取得することを含み得る。ランドマーク情報には、これらに限るものではないが、ランドマークの名称、構造物、建物、通りの名称、住所、交差点、ロケーションを描くもしくは表すグラフィックおよび／またはアイコンなどを含み得る。例えば、ワイヤレスデバイス１０２上の受信コンポーネント１８（図１）は、ワイヤレスデバイス１０２のロケーションに対応する１つまたは複数のランドマーク情報のセットを取得し得る。
【００４６】
[0061]  加えて、方法は、４１０において、１つまたは複数のランドマーク情報のセットから選択されたランドマーク情報を受信することを含み得る。例えば、ワイヤレスデバイスのユーザは、取得されたランドマーク情報のセットからランドマークを選択し得る。一態様では、選択コンポーネント５６（図２）は、ユーザから選択されたランドマーク情報を受信し得る。
【００４７】
[0062]  さらに、方法は、４１２において、選択されたランドマーク情報に対する方向情報を取得することを含み得る。方向情報は、これらに限るものではないが、ランドマークからのワイヤレスデバイスの方向情報（例えば、北、南、東、西）および／または距離（例えば、５０ｍ）を含み得る。例えば、ユーザが、取得されたランドマーク情報のセットから市立公園を選択し、ワイヤレスデバイスが、市立公園の２５メートル北にある場合、ワイヤレスデバイスの方向情報は、市立公園の「２５メートル北」を含み得る。一態様では、受信コンポーネント１８は、選択されたランドマークに対するワイヤレスデバイスの方向情報を受信し得る。
【００４８】
[0063]  方法は、また、４１４において、選択されたランドマーク情報とともに方向情報をキャラクタ列に追加することを含み得る。例えば、提示コンポーネント２６（図１）は、選択されたランドマーク情報に対するワイヤレスデバイス１０２の方向情報でワイヤレスデバイス１０２上のメッセージを完了し得る。
【００４９】
[0064]  ここで図５を参照すると、一態様によるランドマーク情報を取得する方法５００は、５０２において、ワイヤレスデバイスのロケーション情報から第１の範囲内のランドマーク情報の第１のセットを取得することを含む。例えば、ワイヤレスデバイス１０２（図１）上の受信コンポーネント１８（図１）は、ワイヤレスデバイス１０２のロケーションから第１の範囲内のランドマーク情報の第１のセットを取得し得る。
【００５０】
[0065]  該方法は、また、５０４において、ランドマーク情報の第１のセットに含まれるランドマーク情報の数がサーチ結果しきい値を満たすかどうかを決定することを含み得る。サーチ結果しきい値は、読み出されたランドマーク情報の数が最小のしきい値レベル（例えば、１つの結果、３つの結果、など）を満たすかどうかを示し得る。一態様では、受信コンポーネント１８（図１）は、ランドマーク情報の第１のセットに含まれるランドマーク情報の数がサーチ結果しきい値を満たすかどうかを決定し得る。
【００５１】
[0066]  ランドマーク情報の第１のセットに含まれるランドマーク情報の数がサーチ結果しきい値を満たすときには、方法は、５０６において、４１０（図４）に進み得る。例えば、受信コンポーネント１８が、ランドマーク情報の第１のセットがサーチ結果しきい値を満たす（たとえば、ランドマーク情報の数がサーチ結果しきい値に等しいまたはより大きい）ことを決定するときには、受信コンポーネント１８は、追加のランドマーク情報を取得しない場合がある。
【００５２】
[0067]  該方法は、さらに、５０８において、ランドマーク情報の第１のセットがサーチ結果しきい値を満たさないときには、ワイヤレスデバイスのロケーション情報から第２の範囲内のランドマーク情報の第２のセットを取得することを含み得る。例えば、受信コンポーネント１８が、ランドマーク情報の第１のセットがサーチ結果しきい値を満たさない（例えば、結果を返さなかった、および／または限られた数の結果しか返さなかった）と決定するときには、受信コンポーネント１８は、ワイヤレスデバイスのロケーションの第２の範囲内の追加のランドマーク情報を取得し得る。第１の範囲が第２の範囲よりも小さいものであり得ることに留意すべきである。
【００５３】
[0068]  ここで図６を参照すると、一態様による、キャッシュを使用する方法６００は、６０２において、ワイヤレスデバイス上のキャッシュ内のロケーション情報に対応する１つまたは複数のランドマーク情報のセットを記憶することを含む。例えば、ワイヤレスデバイス１０２（図１）上のキャッシュ３２（図１）は、ロケーションに関連する取得されたランドマーク情報を記憶し得る。
【００５４】
[0069]  該方法は、オプションで、６０４において、選択されたランドマーク情報についてのカスタマイズされた名称を受け取り、記憶することを含み得る。カスタマイズされた名称には、これらに限るものではないが、「家（home）」、「職場（work）」、「学校（school）」、「ジム（gym）」などが含まれ得る。一態様では、キャッシュ３２は、適切なランドマーク情報に関連するカスタマイズされた名称を受け取り、記憶し得る。したがって、ワイヤレスデバイスは、選択およびメッセージへのエントリのために、ユーザにランドマーク情報のカスタマイズされた名称を提示し得る。
【００５５】
[0070]  加えて、６０６において、該方法は、ワイヤレスデバイスがロケーションに戻るときにキャッシュから１つまたは複数のランドマーク情報のセットを取得することを含み得る。一態様では、ワイヤレスデバイス１０２は、ワイヤレスデバイス１０２が将来ロケーションに戻るときにランドマーク情報を入手するためにサーバに問い合わせる必要なしにキャッシュ３２からランドマーク情報を取得し得る。他の態様では、キャッシュ３２からのランドマーク情報は、また、ユーザがそのロケーションにおいてメッセージをタイピングしているときにメッセージに追加するためのオプションとしてランドマーク情報が自動的に表示されるように、メッセージディクショナリに追加され得る。
【００５６】
[0071]  ここで図７を参照すると、一態様による画像を受信する方法７００は、７０２において、選択されたランドマーク情報を表す画像を取得することを含む。例えば、受信コンポーネント１８（図１）は、サーバから、選択されたランドマーク情報を表す画像を受信し得る。
【００５７】
[0072]  ７０４において、方法は、また、キャラクタ列とともに画像を提示することを含み得る。一態様では、提示コンポーネント２６（図１）は、ワイヤレスデバイス上で作成されている、テキストメッセージ、ｅメールメッセージ、ＳＭＳメッセージなどのメッセージに、選択されたランドマーク情報の画像を追加し得る。
【００５８】
[0073]  ここで図８を参照すると、一態様によるロケーション情報を送信する方法８００は、８０２において、ワイヤレスデバイスのロケーションを受信することを含む。例えば、受信コンポーネント３４（図１）は、ワイヤレスデバイス１０２（図１）のロケーションを受信し得る。
【００５９】
[0074]  該方法は、また、８０４において、ワイヤレスデバイスのロケーションから第１の範囲内のランドマーク情報の第１のセットを取得することを含み得る。ランドマーク情報は、例えば、マップデータリポジトリなど、複数のランドマーク情報リポジトリから取得され得る。一態様では、ランドマーク取得コンポーネント３８（図１）は、はじめに読み出されたランドマーク情報のセットに含まれる読み出されたランドマークの数がサーチ結果しきい値（例えば、１つの結果、３つの結果、など）を満たすかどうかを決定し得る。
【００６０】
[0075]  ８０６において、該方法は、ランドマーク情報の第１のセットに含まれるランドマーク情報の数がサーチ結果しきい値を満たすかどうかを決定することを含み得る。例えば、ランドマーク取得コンポーネント３８は、ランドマーク情報の第１のセットに含まれるランドマーク情報の数がサーチ結果しきい値を満たすかどうかを決定し得る。
【００６１】
[0076]  ランドマーク情報の第１のセットがサーチ結果しきい値を満たすときには、該方法は、８０８において、ワイヤレスデバイスにランドマーク情報の第１のセットを送信することを含み得る。例えば、送出（sending）コンポーネント４４（図１）は、ワイヤレスデバイス１０２にランドマーク情報の第１のセットを送信し得る。
【００６２】
[0077]  ８１０において、該方法は、また、ランドマーク情報の第１のセットがサーチ結果しきい値を満たさないときに、ワイヤレスデバイスのロケーションから第２の範囲内のランドマーク情報の第２のセットを取得することを含み得る。一態様では、ランドマーク取得コンポーネント３８は、はじめに読み出されたランドマーク情報に含まれるランドマーク情報の数がサーチ結果しきい値を満たさない（例えば、結果を返さなかった、および／または限られた数の結果しか返さなかった）ことを決定すると、ワイヤレスデバイス１０２のロケーションの第２の範囲内の追加のランドマークを読み出し得る。第１の範囲が第２の範囲よりも小さいものであり得ることに留意すべきである。したがって、最初のサーチは、ランドマークについてワイヤレスデバイスのロケーションに近い範囲内で起こり得、そして、ランドマーク取得コンポーネント３８がランドマークを読み出さないおよび／または必要な数のランドマークを読み出さない場合、ランドマーク取得コンポーネント３８は、ランドマーク取得コンポーネント３８が適切な数のランドマークを読み出すまで、サーチの範囲を拡大し得る。
【００６３】
[0078]  方法は、さらに、８１２において、ワイヤレスデバイスにランドマーク情報の第１のセットおよび第２のセットを送信することを含み得る。例えば、送出コンポーネント４４は、ワイヤレスデバイス１０２にランドマーク情報の第１および第２のセットを送信し得る。
【００６４】
[0079]  ここで図９を参照すると、一態様による、方向情報を送信する方法９００は、９０２において、ワイヤレスデバイスから選択されたランドマーク情報を受信することを含み得る。例えば、受信コンポーネント３４（図１）は、ワイヤレスデバイスから選択されたランドマーク情報を受信し得る。
【００６５】
[0080]  該方法は、また、９０４において、選択されたランドマーク情報に対するワイヤレスデバイスの方向情報を決定することを含み得る。方向情報は、これらに限るものではないが、ランドマークからのワイヤレスデバイスの方向情報（例えば、北、南、東、西）および／または距離（例えば、５０ｍ）を含み得る。一態様では、方向情報コンポーネント３６（図１）は、選択されたランドマーク情報に対するワイヤレスデバイス１０２（図１）の方向情報を取得し得る。
【００６６】
[0081]  ９０６において、該方法は、さらに、ワイヤレスデバイスに方向情報を送信することを含み得る。例えば、送出コンポーネント４４（図１）は、取得された方向情報をワイヤレスデバイス１０２に送信し得る。
【００６７】
[0082]  ここで図１０を参照すると、一態様による、ワイヤレスデバイスに画像を送信する方法１０００は、１００２において、選択されたランドマーク情報をワイヤレスデバイスから受信することを含む。例えば、受信コンポーネント３４（図１）は、ワイヤレスデバイス１０２（図１）から選択されたランドマーク情報を受信し得る。
【００６８】
[0083]  １００４において、該方法は、また、選択されたランドマーク情報に関連する画像を読み出すことを含み得る。一態様では、ランドマーク取得コンポーネント３８（図１）は、１つまたは複数の画像リポジトリからランドマーク情報の画像を取得し得る。
【００６９】
[0084]  加えて、１００６において、該方法は、読み出された画像をワイヤレスデバイスに送信することを含み得る。例えば、送出コンポーネント４４（図１）は、取得された画像をワイヤレスデバイス１０２に送信し得る。
【００７０】
[0085]  ここで図１１を参照すると、一態様による、ワイヤレスデバイス１０２上でメッセージを作成し、ワイヤレスデバイス１０２のロケーションの近くのランドマーク情報のリスト６５を受信するための、例示的なインターフェース６４が示されている。例えば、ワイヤレスデバイス１０２は、ユーザがインターフェース６４上の「マイロケーション」ボタン６６を選択すると、ワイヤレスデバイス１０２の現在のロケーションを取得し得る。別の例では、ワイヤレスデバイス１０２は、インターフェース６４を介して入力されたキャラクタ列に少なくとも基づいてロケーション関連コンテキストを推測すると、ワイヤレスデバイス１０２の現在のロケーションを取得し得る（たとえば、「わたしは・・・にいます」）。
【００７１】
[0086]  ワイヤレスデバイス１０２は、たとえばサーバから、ワイヤレスデバイス１０２の現在のロケーションに対応するランドマーク情報のリスト６５を受信し得る。サーバは、はじめに、ワイヤレスデバイス１０２の現在のロケーションの近くのランドマークについて、ワイヤレスデバイス１０２の５０ｍ以内をサーチする。図１１に示された例では、サーバは、メインストリート（Main Street）がワイヤレスデバイス１０２の５０ｍ以内の唯一のランドマークであり得ることを決定し得る。したがって、サーバは、サーチ範囲を１００メートルに拡大し得る。サーバは、次のランドマークがワイヤレスデバイス１０２の１００ｍ以内にあると決定し得る：市立公園、メインストリートとブロードウェーストリートの交差点、病院。
【００７２】
[0087]  サーバは、ワイヤレスデバイス１０２の現在のロケーションに対応するランドマーク情報（例えば、メインストリート、市立公園、病院、メインストリートとブロードウェーストリートの交差点）のリスト６５をワイヤレスデバイス１０２に送信し得る。ワイヤレスデバイス１０２は、ランドマーク情報のリスト６５を受信し、ランドマーク情報のリストをインターフェース６４上に提示し得る。ランドマーク情報のリストが、ランドマークからのワイヤレスデバイス１０２の距離に基づいて順序づけられ得ることに留意すべきである。ワイヤレスデバイス１０２のユーザは、例えば、ｅメールやＳＭＳメッセージなどのメッセージ内に含めるために、インターフェース６４上のリストに提示された受信されたランドマーク情報のうちの１つまたは複数を選択し得る。
【００７３】
[0088]  ここで図１２を参照すると、一態様による、ワイヤレスデバイス１０２上でメッセージを作成し、ワイヤレスデバイス１０２のロケーションの近くのランドマーク情報のリスト６５を受信する、例示的なインターフェース６９が示されている。例えば、ワイヤレスデバイス１０２は、ユーザがインターフェース６９上の「マイロケーション」ボタン６６を選択すると、ワイヤレスデバイス１０２の現在のロケーションを取得し得る。他の例では、ワイヤレスデバイス１０２は、インターフェース６９を介して入力された文字列に少なくとも基づいてロケーション関連コンテキストを推測すると、ワイヤレスデバイス１０２の現在のロケーションを取得し得る（たとえば、「わたしは・・・にいます」）。
【００７４】
[0089]  ワイヤレスデバイス１０２は、ワイヤレスデバイス１０２の現在のロケーションに対応するランドマーク情報（例えば、市立公園、病院、およびメインストリートとブロードウェーストリートの交差点）のリスト６５を受信し、ランドマーク情報のリスト６５をインターフェース６９上に提示し得る。ユーザがランドマーク情報のリスト６５からランドマークを選択すると、ワイヤレスデバイス１０２は、選択されたランドマークに対するワイヤレスデバイス１０２の方向情報を受信し得る。例えば、ユーザが「市立公園」をランドマークとして選択した場合、方向情報は、「１０メートル北」であり得る。加えて、ワイヤレスデバイス１０２は、また、選択されたランドマークの画像を受信し得る。選択されたランドマーク、方向情報、および画像は、インターフェース６９上で、たとえば、ｅメールやＳＭＳメッセージなどのメッセージに含められ得る。
【００７５】
[0090]  ここで図１３を参照すると、一態様による接続システム内で動作可能な例示的なワイヤレスデバイス１０２が示されている。一態様では、ワイヤレスデバイス１０２は、本明細書に記載されたコンポーネントおよび機能のうちの１つまたは複数に関連する処理機能を実行するプロセッサ８０を含み得る。プロセッサ８０は、プロセッサまたはマルチコアプロセッサの単一またはマルチプルなセットを含むことができる。さらに、プロセッサ８０は、一体型の処理システムおよび／または分散型の処理システムとして実装されることができる。
【００７６】
[0091]  ワイヤレスデバイス１０２は、さらに、プロセッサ８０によって実行されているアプリケーションのローカルバージョンを記憶するなどのために、メモリ８２を含み得る。メモリ８２は、ランダムアクセスメモリ（ＲＡＭ）、読出し専用メモリ（ＲＯＭ）、テープ、磁気ディスク、光ディスク、揮発性メモリ、不揮発性メモリ、およびそれらの任意の組合せなど、コンピュータによって使用可能なタイプのメモリを含むことができる。
【００７７】
[0092]  さらに、ワイヤレスデバイス１０２は、ハードウェア、ソフトウェア、および本明細書に記載のサービスを用いて、１つまたは複数のパーティとの通信の確立および維持をもたらす、通信コンポーネント８４を含む。通信コンポーネント８４は、ワイヤレスデバイス１０２上のコンポーネント間、ならびに、ワイヤレスデバイス１０２と、通信ネットワークをはさんで配置されたデバイスおよび／またはワイヤレスデバイス１０２にシリアルにまたはローカルに接続されたデバイスなどの外部デバイスとの間の通信を搬送しうる。例えば、通信コンポーネント８４は、１つまたは複数のバスを含み得、さらに、外部デバイスとインターフェースするように動作可能な送信機および受信機にそれぞれ関連づけられた、送信チェーンコンポーネントおよび受信チェーンコンポーネントを含み得る。
【００７８】
[0093]  追加的に、ワイヤレスデバイス１０２は、さらに、情報、データベース、および本明細書に記載の諸態様と併せて用いられるプログラムのマスストレージを提供する、ハードウェアおよび／またはソフトウェアのいずれか適切な組み合わせであり得る、データストア８６を含み得る。例えば、データストア８６は、プロセッサ８０によって現在は実行されていないアプリケーションのためのデータリポジトリであり得る。
【００７９】
[0094]  ワイヤレスデバイス１０２は、追加的に、ワイヤレスデバイス１０２のユーザから入力を受け取るように動作可能な、およびユーザに提示するための出力を生成するようにさらに動作可能な、ユーザインターフェースコンポーネント８８を含み得る。ユーザインターフェースコンポーネント８８は、これらに限るものではないが、キーボード、数字キーパッド、マウス、タッチ式ディスプレイ、ナビゲーションキー、ファンクションキー、マイクロホン、音声認識コンポーネント、ユーザからの入力を受取可能な他の任意の機構、またはそれらのいずれかの組合せを含む、１つまたは複数の入力デバイスを含み得る。さらに、ユーザインターフェースコンポーネント８８は、これらに限るものではないが、ディスプレイ、スピーカー、触覚フィードバック機構、プリンタ、ユーザに出力を提示可能な他の任意の機構、またはそれらの任意の組合せを含む、１つまたは複数の出力デバイスを含み得る。
【００８０】
[0095]  ワイヤレスデバイス１０２は、また、ワイヤレスデバイス１０２上の情報エントリを管理するように動作可能な情報エントリ管理コンポーネント１０（図１）を含み得る。加えて、ワイヤレスデバイス１０２は、ワイヤレスデバイス１０２の現在のロケーションを取得するように動作可能なロケーションコンポーネント２８を含み得る。一態様では、ユーザインターフェースコンポーネント８８は、情報エントリ管理コンポーネント１０および／またはロケーションコンポーネント２８の動作に対応するメッセージを送信および／または受信し得る。加えて、プロセッサ８０は、情報エントリ管理コンポーネント１０およびロケーションコンポーネント２８を実行し、メモリ８２またはデータストア８６は、それらを記憶し得る。
【００８１】
[0096]  ここで図１４を参照すると、さらに別の態様による接続システム内で動作可能な例示的なサーバデバイス１０６が示されている。サーバ１０６は、アクセスネットワーク１０４についてのネットワーク接続問題を管理する。サーバ１０６は、本明細書に記載のコンポーネントまたは機能の１つまたは複数に関連する処理機能を実施するプロセッサコンポーネント７０を含む。プロセッサコンポーネント７０は、プロセッサまたはマルチコアプロセッサの単一またはマルチプルなセットを含むことができる。さらに、処理コンポーネント７０は、一体型の処理システムおよび／または分散型の処理システムとして実装されることができる。
【００８２】
[0097]  サーバ１０６は、プロセッサコンポーネント７０によって実行されているアプリケーションのローカルバージョンを記憶するなどのためのメモリ７２をさらに含む。メモリ７２は、ランダムアクセスメモリ（ＲＡＭ）、読出し専用メモリ（ＲＯＭ）、およびそれらの組合せを含むことができる。
【００８３】
[0098]  さらに、サーバ１０６は、本明細書に記載のハードウェア、ソフトウェア、およびサービスを用いる１つまたは複数のパーティとの通信を確立および維持を提供する通信コンポーネント７４を含む。通信コンポーネント７４は、サーバ１０６上のコンポーネント間の、ならびに、サーバ１０６と、通信ネットワークをはさんで配置されたデバイスおよび／またはサーバ１０６にシリアルにまたはローカルに接続されたデバイスなどの外部デバイスとの間の通信を搬送し得る。
【００８４】
[0099]  追加的に、サーバ１０６は、本明細書に記載の諸態様と併せて用いられる、情報、データベース、およびプログラムのマスストレージを提供する、ハードウェアおよび／またはソフトウェアの任意の適切な組み合わせであり得る、データストア７６をさらに含み得る。例えば、データストア７６は、現在実行中ではないアプリケーションのためのデータリポジトリであり得る。
【００８５】
[00100]  サーバ１０６は、また、選択されたランドマーク情報に対するワイヤレスデバイスの方向情報を決定するように動作可能な方向情報コンポーネント３６（図１）を含み得る。サーバ１０６は、また、ランドマーク情報、方向情報、およびランドマーク情報の画像を取得するように動作可能なランドマーク取得コンポーネント３８（図１）を含み得る。一態様では、通信コンポーネント７４は、方向情報コンポーネント３６および／またはランドマーク取得コンポーネント３８の動作に対応するメッセージを送信および／または受信し得る。加えて、プロセッサ７０は、方向情報コンポーネント３６および／またはランドマーク取得コンポーネント３８を実行することができ、メモリ７２は、それらを記憶し得る。
【００８６】
[00101]  ここで図１５を参照すると、自動情報エントリのために構成されたシステム１５００が示されている。例えば、システム１５００は、送信機やモバイルデバイスなどの中に少なくとも部分的に存在し得る。システム１５００が、プロセッサ、ソフトウェア、またはそれらの組合せ（例えば、ファームウェア）によって実装される機能を表す機能ブロックであり得る機能ブロックを含むものとして表されていることが理解されるべきである。システム１５００は、自動情報エントリを容易にする電気的コンポーネントの論理グルーピング１５０２を含む。たとえば、論理グルーピング１５０２は、キャラクタ列の入力をワイヤレスデバイスのユーザインターフェースにおいて受け取るコンポーネント１５０４を含み得る。さらに、論理グルーピング１５０２は、キャラクタ列の少なくとも一部分に基づいてロケーション関連コンテキストを識別するコンポーネント１５０６を含み得る。加えて、論理グルーピング１５０２は、ロケーション関連コンテキストを識別することに応答してワイヤレスデバイスのロケーション情報を取得するコンポーネント１５０８を含み得る。論理グルーピング１５０２は、また、ワイヤレスデバイスのロケーション情報に対応する１つまたは複数のランドマーク情報のセットを取得するコンポーネント１５１０を含み得る。論理グルーピング１５０２は、さらに、１つまたは複数のランドマーク情報のセットから選択されたランドマーク情報を受信するコンポーネント１５１２を含みうる。さらに、論理グルーピング１５０２は、選択されたランドマーク情報に対する方向情報を取得するコンポーネント１５１４を含み得、ここで、方向情報は、選択されたランドマーク情報からのワイヤレスデバイスの方向および距離のうちの１つまたは複数を含む。論理グルーピング１５０２は、また、選択されたランドマーク情報とともに方向情報をキャラクタ列に追加するコンポーネント１５１６を含み得る。さらに、システム１５００は、電気的コンポーネント１５０４、１５０６、１５０８、１５１０、１５１２、１５１４、１５１６に関連する機能を実行する命令を保持するメモリ１５１８を含むことができる。メモリ１５１８の外部にあるものとして示されているが、電気的コンポーネント１５０４、１５０６、１５０８、１５１０、１５１２、１５１４、および１５１６のうちの１つまたは複数がメモリ１５１８内に存在し得ることが理解されるべきである。
【００８７】
[00102]  ここで図１６を参照すると、ロケーション情報を送信するように構成されたシステム１６００が示されている。例えば、システム１６００は、送信機やモバイルデバイスなどの中に少なくとも部分的に存在することができる。システム１６００が、プロセッサ、ソフトウェア、またはそれらの組合せ（例えば、ファームウェア）によって実装される機能を表す機能ブロックであり得る機能ブロックを含むものとして表されていることが理解されるべきである。システム１６００は、ロケーション情報を送信することを容易にする電気的コンポーネントの論理グルーピング１６０２を含む。例えば、論理グルーピング１６０２は、ワイヤレスデバイスのロケーションを受信するコンポーネント１６０４を含み得る。さらに、論理グルーピング１６０２は、ワイヤレスデバイスのロケーションから第１の範囲内のランドマーク情報の第１のセットを取得するコンポーネント１６０６を含み得る。加えて、論理グルーピング１６０２は、ランドマーク情報の第１のセットに含まれるランドマーク情報の数がサーチ結果しきい値を満たすかどうかを決定するコンポーネント１６０８を含み得る。論理グルーピング１６０２は、また、ランドマーク情報の第１のセットがサーチ結果しきい値を満たすときに、ランドマーク情報の第１のセットをワイヤレスデバイスに送信するコンポーネント１６１０を含み得る。追加的に、システム１６００は、電気的コンポーネント１６０４、１６０６、１６０８、１６１０と関連する機能を実行する命令を保持するメモリ１６１２を含むことができる。メモリ１６１２の外部にあるものとして示されているが、電気的コンポーネント１６０４、１６０６、１６０８、および１６１０のうちの１つまたは複数がメモリ１６１２内に存在し得ることが理解されるべきである。
【００８８】
[00103]  本願で使用するとき、「コンポーネント」、「モジュール」、「システム」などの用語は、これらに限定するものではないが、ハードウェア、ファームウェア、ハードウェアとソフトウェアの組合せ、ソフトウェア、または実行中ソフトウェアなど、コンピュータ関連エンティティを含むことが意図されている。例えば、コンポーネントは、これらに限るものではないが、プロセッサ上で動作するプロセス、プロセッサ、オブジェクト、実行可能ファイル、実行スレッド、プログラム、および／またはコンピュータであり得る。例として、コンピューティングデバイス上で動作するアプリケーションおよびコンピューティングデバイスの両方がコンポーネントであり得る。１つまたは複数のコンポーネントが、プロセスおよび／または実行スレッド内に存在することができ、コンポーネントが、１つのコンピュータ上にローカライズされ、および／または２つ以上のコンポーネント間に分散され得る。加えて、これらのコンポーネントは、さまざまなデータ構造がそれに記憶された様々なコンピュータ可読媒体から実行し得る。コンポーネントは、ローカルシステムや分散型システム内の別のコンポーネントと対話する１つのコンポーネントからのデータなど、１つまたは複数のデータパケットを有する信号に従うような、ローカルおよび／またはリモートプロセスを用いて、および／または信号を用いて他のシステムとインターネットなどのネットワークを通じて、通信し得る。
【００８９】
[00104]  さらに、様々な態様が、ワイヤード端末またはワイヤレス端末でありうる端末に関連して本明細書において説明される。端末はまた、システム、デバイス、加入者ユニット、加入者局、移動局、モバイル、モバイルデバイス、遠隔局、遠隔端末、アクセス端末、ユーザ端末、端末、通信デバイス、ユーザエージェント、ユーザデバイス、またはユーザ機器（ＵＥ）とも呼ばれ得る。ワイヤレス端末は、セルラ電話、衛星電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、コンピューティングデバイス、またはワイヤレスモデムに接続された他の処理デバイスでありうる。さらに、様々な態様が基地局に関連して本明細書において説明される。基地局は、（１つまたは複数の）ワイヤレス端末と通信するために利用されることができ、また、アクセスポイント、ノードＢ、またはその他の何らかの用語でも呼ばれ得る。
【００９０】
[00105]  さらに、「または／あるいは／もしくは（or）」という用語は、排他的な「または／あるいは／もしくは」ではなく包括的な「または／あるいは／もしくは」を意味するよう意図される。すなわち、別段の指定がない限り、または文脈から明白でない限り、「ＸはＡまたはＢを使用する」という句は、自然な包括的置換のいずれかを意味するものとする。つまり、「ＸはＡまたはＢを使用する」という句は、ＸがＡを使用する場合、ＸがＢを使用する場合、またはＸがＡとＢの両方を使用する場合のいずれによっても満たされる。さらに、本願および特許請求の範囲で使用される冠詞「ａ」および「ａｎ」は、別段の指定がない限り、または単数形を示すことが文脈から明白でない限り、概して「１つまたは複数」を意味するものと解釈されるべきである。
【００９１】
[00106]  本明細書で説明された技術は、ＣＤＭＡ、ＴＤＭＡ、ＦＤＭＡ、ＯＦＤＭＡ、ＳＣ−ＦＤＭＡおよび他のシステムなどの、様々なワイヤレス通信システムのために使用されうる。「システム」および「ネットワーク」という用語は、しばしば交換可能に用いられる。ＣＤＭＡシステムは、ユニバーサル地上無線アクセス（ＵＴＲＡ）、ｃｄｍａ２０００等のような無線技術をインプリメントしうる。ＵＴＲＡは、広帯域ＣＤＭＡ（Ｗ−ＣＤＭＡ（登録商標））およびＣＤＭＡのその他の変形を含む。さらに、ｃｄｍａ２０００は、ＩＳ−２０００、ＩＳ−９５、およびＩＳ−８５６規格をカバーする。ＴＤＭＡシステムは、グローバル移動体通信システム（ＧＳＭ）（登録商標）のような無線技術をインプリメントしうる。ＯＦＤＭＡシステムは、発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、フラッシュ−ＯＦＤＭ等のような無線技術をインプリメントしうる。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）は、Ｅ−ＵＴＲＡを使用するＵＭＴＳのリリースであり、それは、ダウンリンクではＯＦＤＭＡを、アップリンクではＳＣ−ＦＤＭＡを用いる。ＵＴＲＡ、Ｅ−ＵＴＲＡ、ＵＭＴＳ、ＬＴＥおよびＧＳＭは、「第３世代パートナーシッププロジェクト」（３ＧＰＰ）と名付けられた団体からの文書に説明されている。さらに、ｃｄｍａ２０００およびＵＭＢは、「第３世代パートナーシッププロジェクト２」（３ＧＰＰ２）と名付けられた団体からの文書に説明されている。さらに、そのようなワイヤレス通信システムは、アンペアード無認可スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（例えば、モバイルツーモバイル）アドホックネットワークシステムを追加的に含みうる。
【００９２】
[00107]  様々な態様または特徴が、多数のデバイス、コンポーネント、モジュール等を含みうるシステムの観点から提示される。様々なシステムが追加のデバイス、コンポーネント、モジュール等を含み得ること、および／または図面に関連して論議されたデバイス、コンポーネント、モジュール等のすべてを含まない場合があることが、理解および認識されるべきである。これらのアプローチの組み合わせもまた、使用されうる。
【００９３】
[00108]  本明細書において開示された諸実施形態に関連して説明された様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、あるいは本明細書において説明された機能を実施するよう設計されたそれらの任意の組み合わせで実装または実施されうる。汎用プロセッサは、マイクロプロセッサでありうるが、代替において、プロセッサは、任意の従来のプロセッサ、コントローラ、マイクロコントローラ、またはステートマシンでありうる。プロセッサはまた、例えば、ＤＳＰとマイクロプロセッサの組合せ、複数のマイクロプロセッサ、ＤＳＰコアと連結する１つまた複数のマイクロプロセッサ、または任意の他のこういった構成である、コンピューティングデバイスの組み合わせとして実装され得る。加えて、少なくとも１つのプロセッサは、上述されたステップおよび／または動作のうちの１つまたは複数を実施するように動作可能な１つまたは複数のモジュールを備えうる。
【００９４】
[00109]  さらに、本明細書において開示された諸態様に関連して説明された方法またはアルゴリズムのステップおよび／または動作は、直接ハードウェアにおいて、プロセッサによって実行されるソフトウェアモジュールにおいて、または２つの組み合わせにおいて具現化されうる。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、あるいは技術的に知られている任意の他の形態の記憶媒体中に存在しうる。例示的な記憶媒体は、プロセッサが記憶媒体から情報を読み取り、記憶媒体に情報を書き込むことができるように、プロセッサに結合されうる。代替において、記憶媒体は、プロセッサと一体化されうる。さらに、いくつかの態様において、プロセッサと記憶媒体はＡＳＩＣに存在し得る。加えて、ＡＳＩＣはユーザ端末内に存在しうる。代替において、プロセッサおよび記憶媒体は、ユーザ端末内のディスクリートコンポーネントとして存在しうる。加えて、いくつかの態様において、方法またはアルゴリズムのステップおよび／または動作は、機械可読媒体および／またはコンピュータ可読媒体上にコードおよび／または命令の１つまたは任意の組み合わせあるいはセットとして存在し、それらは、コンピュータプログラム製品に組み込まれうる。
【００９５】
[00110]  １つまたは複数の態様において、説明された機能は、ハードウェア、ソフトウェア、ファームウェア、またはそれらの任意の組み合わせ内において実装されうる。ソフトウェアでインプリメントされる場合、これら機能は、コンピュータ可読媒体上の１つまたは複数の命令またはコードとして送信または記憶されうる。コンピュータ可読媒体は、コンピュータ記憶媒体と、ある場所から別の場所へコンピュータプログラムの転送を容易にする任意の媒体を含む通信媒体との両方を含む。記憶媒体は、コンピュータによってアクセスされることができる任意の利用可能な媒体でありうる。限定ではなく例として、こういったコンピュータ可読媒体は、命令またはデータ構造の形式で所望のプログラムコードを搬送または記憶するために用いられることができ、コンピュータによってアクセスされることのできる、ＲＡＭ、ＲＯＭ、ＥＥＰＲＯＭ、ＣＤ−ＲＯＭまたは他の光学ディスクストレージ、磁気ディスクストレージ、他の磁気ストレージデバイス、または任意の他の媒体を備えることができる。また、接続も、コンピュータ可読媒体と称されうる。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波のようなワイヤレス技術は、媒体の定義に含まれる。ここで使用されるディスク（disk）およびディスク（disc）は、コンパクトディスク（ＣＤ）（disc）、レーザーディスク（登録商標）（disc）、光学ディスク（disc）、デジタル多用途ディスク（ＤＶＤ）（disc）、フロッピー（登録商標）ディスク（disk）、ブルーレイ（登録商標）ディスク（disc）を含み、ディスク（disk）は通常はデータを磁気的に再生し、ディスク（disc）は通常はデータをレーザで光学的に再生する。上記の組み合わせはまた、コンピュータ可読媒体の範囲に含まれるべきである。
【００９６】
[00111]  上記の開示は例示的な態様および／または実施形態について論じているが、特許請求の範囲によって定義される記載された態様および／または実施形態の範囲から逸脱することなく、様々な変更および修正が本明細書においてなされ得ることに留意されたい。さらに、記載された態様および／または実施形態の要素は、単数形で説明されまたは請求項に記載されうるが、単数形との限定が明示的に記載されない限り、複数形が企図される。加えて、別段の指定のない限り、任意の態様および／または実施形態のすべてまたは一部は、任意の他の態様および／または実施形態のすべてまたは一部とともに利用されうる。
以下に、出願当初の特許請求の範囲に記載された発明を付記する。
［Ｃ１］
ワイヤレスデバイスにおける自動情報エントリの方法であって、
前記ワイヤレスデバイスのユーザインターフェースにおいてキャラクタ列の入力を受け取ることと、
前記キャラクタ列の少なくとも一部分に基づいてロケーション関連コンテキストを識別することと、
前記ロケーション関連コンテキストを識別することに応答して前記ワイヤレスデバイスのロケーション情報を取得することと、
前記ワイヤレスデバイスの前記ロケーション情報に対応する１つまたは複数のランドマーク情報のセットを取得することと、
１つまたは複数のランドマーク情報の前記セットから選択されたランドマーク情報を受信することと、
前記選択されたランドマーク情報に対する方向情報を取得することと、ここにおいて、前記方向情報は、前記選択されたランドマーク情報からの前記ワイヤレスデバイスの方向および距離のうちの１つまたは複数を含む、
前記選択されたランドマーク情報とともに前記方向情報を前記キャラクタ列に追加することと、
を備える方法。
［Ｃ２］
前記選択されたランドマーク情報を表す画像を取得することと、
前記キャラクタ列とともに前記画像を提示することと、
をさらに備える、上記Ｃ１に記載の方法。
［Ｃ３］
前記ロケーション関連コンテキストを識別することは、ロケーション推測語と前記キャラクタ列の少なくとも一部分との間のマッチを検出することをさらに備える、上記Ｃ１に記載の方法。
［Ｃ４］
前記ロケーション推測語は、「中（in）」、「において（at）」、「上（on）」、「訪れている（visiting）」、「向かっている（heading）」、「進んでいる（going）」、「そばに（by）」、「近くに（near）」、「から（from）」、「隣に（next to）」、「正面に（in front of）」、「わきに（beside）」、「下に（beneath）」、および「最上に（on top of）」からなる群から選択される、上記Ｃ３に記載の方法。
［Ｃ５］
１つまたは複数のランドマーク情報の前記セットを取得することは、
ランドマーク情報の第１のセット内に含まれるランドマーク情報の数がサーチ結果しきい値を満たすときに、前記ワイヤレスデバイスの前記ロケーション情報から第１の範囲内のランドマーク情報の前記第１のセットを取得することをさらに備える、
上記Ｃ１に記載の方法。
［Ｃ６］
ランドマーク情報の前記第１のセットが前記サーチ結果しきい値を満たさないときに、前記ワイヤレスデバイスの前記ロケーション情報から第２の範囲内のランドマーク情報の第２のセットを取得することをさらに備える、上記Ｃ５に記載の方法。
［Ｃ７］
前記第１の範囲は、前記第２の範囲よりも小さい、上記Ｃ６に記載の方法。
［Ｃ８］
１つまたは複数のランドマーク情報の前記セットをリストにおいて提示することをさらに備える、上記Ｃ１に記載の方法。
［Ｃ９］
１つまたは複数のランドマーク情報の前記セットが順序づけられ得る、上記Ｃ８に記載の方法。
［Ｃ１０］
前記ワイヤレスデバイス上のキャッシュにおいて前記ロケーション情報に対応する前記１つまたは複数のランドマーク情報の前記セットを記憶することをさらに備える、上記Ｃ１に記載の方法。
［Ｃ１１］
前記ワイヤレスデバイスがあるロケーションに戻るときに前記キャッシュから前記１つまたは複数のランドマーク情報を取得することをさらに備える、上記Ｃ１０に記載の方法。
［Ｃ１２］
１つまたは複数のランドマーク情報の前記セットのうちの前記選択された１つについてカスタマイズされた名称を受信することと、
前記キャッシュにおいて１つまたは複数のランドマーク情報の前記セットのうちの前記選択された１つに対応する前記カスタマイズされた名称を記憶することと、
をさらに備える、上記Ｃ１０に記載の方法。
［Ｃ１３］
前記キャッシュは、メッセージディクショナリをさらに備え、
１つまたは複数のランドマーク情報の前記記憶されたセットを前記メッセージディクショナリに追加すること、
上記Ｃ１０に記載の方法。
［Ｃ１４］
１つまたは複数のランドマーク情報の前記セットのうちの前記選択された１つを前記キャラクタ列に追加することは、前記メッセージディクショナリからの前記選択されたランドマーク情報を自動的に追加することをさらに備える、上記Ｃ１３に記載の方法。
［Ｃ１５］
前記ランドマーク情報は、ランドマークの名称、構造物、建物、通り、住所、交差点、ロケーションを表すグラフィック、およびロケーションを表すアイコンのうちの１つまたは複数を備える、上記Ｃ１に記載の方法。
［Ｃ１６］
前記ロケーション情報は、前記ワイヤレスデバイス上の全地球測位システム（ＧＰＳ）コンポーネントまたは前記ワイヤレスデバイスの最後のフィックスから取得される、上記Ｃ１に記載の方法。
［Ｃ１７］
前記ロケーション情報は、前記ワイヤレスデバイス上のロケーションボタンの選択を受信すると取得される、上記Ｃ１６に記載の方法。
［Ｃ１８］
ワイヤレスデバイスにおける自動情報エントリのために構成された少なくとも１つのプロセッサであって、
前記ワイヤレスデバイスのユーザインターフェースにおいてキャラクタ列の入力を受け取る第１のモジュールと、
前記キャラクタ列の少なくとも一部分に基づいてロケーション関連コンテキストを識別する第２のモジュールと、
前記ロケーション関連コンテキストを識別することに応答して前記ワイヤレスデバイスのロケーション情報を取得する第３のモジュールと、
前記ワイヤレスデバイスの前記ロケーション情報に対応する１つまたは複数のランドマーク情報のセットを取得する第４のモジュールと、
１つまたは複数のランドマーク情報の前記セットから選択されたランドマーク情報を受信する第５のモジュールと、
前記選択されたランドマーク情報に対する方向情報を取得する第６のモジュールと、ここにおいて、前記方向情報は、前記選択されたランドマーク情報からの前記ワイヤレスデバイスの方向および距離のうちの１つまたは複数を含む、
前記選択されたランドマーク情報とともに前記方向情報を前記キャラクタ列に追加する第７のモジュールと、
を備える少なくとも１つのプロセッサ。
［Ｃ１９］
コンピュータ可読媒体を備えるコンピュータプログラム製品であって、
前記コンピュータ可読媒体は、
コンピュータに、ワイヤレスデバイスのユーザインターフェースにおいてキャラクタ列の入力を受け取らせる、少なくとも１つの命令と、
前記コンピュータに、前記キャラクタ列の少なくとも一部分に基づいてロケーション関連コンテキストを識別させる、少なくとも１つの命令と、
前記コンピュータに、前記ロケーション関連コンテキストを識別することに応答して前記ワイヤレスデバイスのロケーション情報を取得させる、少なくとも１つの命令と、
前記コンピュータに、前記ワイヤレスデバイスの前記ロケーション情報に対応する１つまたは複数のランドマーク情報のセットを取得させる、少なくとも１つの命令と、
前記コンピュータに、１つまたは複数のランドマーク情報の前記セットから選択されたランドマーク情報を受信させる、少なくとも１つの命令と、
前記コンピュータに、前記選択されたランドマーク情報に対する方向情報を取得させる、少なくとも１つの命令と、ここにおいて、前記方向情報は、前記選択されたランドマーク情報からの前記ワイヤレスデバイスの方向および距離のうちの１つまたは複数を含む、
前記コンピュータに、前記選択されたランドマーク情報とともに前記方向情報を前記キャラクタ列に追加させる、少なくとも１つの命令と、
を備える、コンピュータプログラム製品。
［Ｃ２０］
装置であって、
ワイヤレスデバイスのユーザインターフェースにおいてキャラクタ列の入力を受け取る手段と、
前記キャラクタ列の少なくとも一部分に基づいてロケーション関連コンテキストを識別する手段と、
前記ロケーション関連コンテキストを識別することに応答して前記ワイヤレスデバイスのロケーション情報を取得する手段と、
前記ワイヤレスデバイスの前記ロケーション情報に対応する１つまたは複数のランドマーク情報のセットを取得する手段と、
１つまたは複数のランドマーク情報の前記セットから選択されたランドマーク情報を受信する手段と、
前記選択されたランドマーク情報に対する方向情報を取得する手段と、ここにおいて、前記方向情報は、前記選択されたランドマーク情報からの前記ワイヤレスデバイスの方向および距離のうちの１つまたは複数を含む、
前記選択されたランドマーク情報とともに前記方向情報を前記キャラクタ列に追加する手段と、
を備える装置。
［Ｃ２１］
装置であって、
ワイヤレスデバイスのユーザインターフェースにおいてキャラクタ列の入力を受け取るように動作可能な入力コンポーネントと、
前記キャラクタ列の少なくとも一部分に基づいてロケーション関連コンテキストを識別するように動作可能なロケーション関連コンポーネントと、
前記ロケーション関連コンテキストを識別することに応答して前記ワイヤレスデバイスのロケーション情報を取得するように動作可能なロケーションコンポーネントと、
前記ワイヤレスデバイスの前記ロケーション情報に対応する１つまたは複数のランドマーク情報のセットを取得するように動作可能な受信コンポーネントと、
１つまたは複数のランドマーク情報の前記セットから選択されたランドマーク情報を受信するように動作可能な選択コンポーネントと、
前記受信コンポーネントは、さらに、前記選択されたランドマーク情報に対する方向情報を取得するように動作可能であり、前記方向情報は、前記選択されたランドマーク情報からの前記ワイヤレスデバイスの方向および距離のうちの１つまたは複数を含む、
前記選択されたランドマーク情報とともに前記方向情報を前記キャラクタ列に追加するように動作可能な提示コンポーネントと、
を備える装置。
［Ｃ２２］
前記受信コンポーネントは、さらに、前記選択されたランドマーク情報を表す画像を取得するように動作可能であり、
前記提示コンポーネントは、さらに、前記キャラクタ列とともに前記画像を提示するように動作可能である、上記Ｃ２１に記載の装置。
［Ｃ２３］
前記ロケーション関連コンポーネントは、さらに、ロケーション推測語と前記キャラクタ列の少なくとも一部分との間のマッチを検出することによって前記ロケーション関連コンテキストを識別するように動作可能である、上記Ｃ２１に記載の装置。
［Ｃ２４］
前記ロケーション推測語は、「中（in）」、「において（at）」、「上（on）」、「訪れている（visiting）」、「向かっている（heading）」、「進んでいる（going）」、「そばに（by）」、「近くに（near）」、「から（from）」、「隣に（next to）」、「正面に（in front of）」、「わきに（beside）」、「下に（beneath）」、および「最上に（on top of）」からなる群から選択される、上記Ｃ２３に記載の装置。
［Ｃ２５］
前記受信コンポーネントは、さらに、ランドマーク情報の第１のセット内に含まれるランドマーク情報の数がサーチ結果しきい値を満たすときに、前記ワイヤレスデバイスの前記ロケーション情報から第１の範囲内のランドマーク情報の前記第１のセットを取得するように動作可能である、上記Ｃ２１に記載の装置。
［Ｃ２６］
前記受信コンポーネントは、さらに、ランドマーク情報の前記第１のセットが前記サーチ結果しきい値を満たさないときに、前記ワイヤレスデバイスの前記ロケーション情報から第２の範囲内のランドマーク情報の第２のセットを取得するように動作可能である、上記Ｃ２５に記載の装置。
［Ｃ２７］
前記第１の範囲は、前記第２の範囲よりも小さい、上記Ｃ２６に記載の装置。
［Ｃ２８］
前記提示コンポーネントは、さらに、１つまたは複数のランドマーク情報の前記セットをリストにおいて提示するように動作可能である、上記Ｃ２１に記載の装置。
［Ｃ２９］
１つまたは複数のランドマーク情報の前記セットが順序づけられ得る、上記Ｃ２８に記載の装置。
［Ｃ３０］
前記ワイヤレスデバイス上のキャッシュにおいて前記ロケーション情報に対応する前記１つまたは複数のランドマーク情報の前記セットを記憶するように動作可能なキャッシュをさらに備える、上記Ｃ２１に記載の装置。
［Ｃ３１］
前記受信コンポーネントは、さらに、前記ワイヤレスデバイスがあるロケーションに戻るときに前記キャッシュから前記１つまたは複数のランドマーク情報を取得するように動作可能である、上記Ｃ３０に記載の装置。
［Ｃ３２］
前記キャッシュは、さらに、１つまたは複数のランドマーク情報の前記セットのうちの前記選択された１つについてカスタマイズされた名称を受信および記憶するように動作可能である、上記Ｃ３０に記載の装置。
［Ｃ３３］
前記キャッシュは、さらに、メッセージディクショナリを備え、１つまたは複数のランドマーク情報の前記記憶されたセットを前記メッセージディクショナリに追加する、上記Ｃ３０に記載の装置。
［Ｃ３４］
前記提示コンポーネントは、さらに、前記メッセージディクショナリからの前記選択されたランドマーク情報を前記キャラクタ列に自動的に追加するように動作可能である、上記Ｃ３３に記載の装置。
［Ｃ３５］
前記ランドマーク情報は、ランドマークの名称、構造物、建物、通り、住所、交差点、ロケーションを表すグラフィック、およびロケーションを表すアイコンのうちの１つまたは複数を備える、上記Ｃ２１に記載の装置。
［Ｃ３６］
前記ロケーションコンポーネントは、さらに、前記ワイヤレスデバイス上の全地球測位システム（ＧＰＳ）コンポーネントまたは前記ワイヤレスデバイスの最後のフィックスから前記ロケーション情報を取得するように動作可能である、上記Ｃ２１に記載の装置。
［Ｃ３７］
前記ロケーションコンポーネントは、さらに、前記ワイヤレスデバイス上のロケーションボタンの選択を受信すると、前記ロケーション情報を取得するように動作可能である、上記Ｃ３６に記載の装置。
［Ｃ３８］
ロケーション情報を送信する方法であって、
ワイヤレスデバイスのロケーションを受信することと、
前記ワイヤレスデバイスの前記ロケーションから第１の範囲内のランドマーク情報の第１のセットを取得することと、
ランドマーク情報の前記第１のセットに含まれるランドマーク情報の数がサーチ結果しきい値を満たすかどうかを決定することと、
ランドマーク情報の前記第１のセットが前記サーチ結果しきい値を満たすときに、ランドマーク情報の前記第１のセットを前記ワイヤレスデバイスに送信することと、
を備える方法。
［Ｃ３９］
ランドマーク情報の前記第１のセットが前記サーチ結果しきい値を満たさないときに、前記ワイヤレスデバイスの前記ロケーションから第２の範囲内のランドマーク情報の第２のセットを取得することと、
ランドマーク情報の前記第１のセットおよびランドマーク情報の前記第２のセットを前記ワイヤレスデバイスに送信することと、
をさらに備える、上記Ｃ３８に記載の方法。
［Ｃ４０］
前記第１の範囲は、前記第２の範囲よりも小さい、上記Ｃ３８に記載の方法。
［Ｃ４１］
前記ワイヤレスデバイスからランドマーク情報の選択を受信することと、
前記選択されたランドマーク情報に関連づけられた画像を読み出すことと、
前記読み出された画像を前記ワイヤレスデバイスに送信することと、
をさらに備える、上記Ｃ３８に記載の方法。
［Ｃ４２］
前記ワイヤレスデバイスからランドマーク情報の選択を受信することと、
前記選択されたランドマーク情報に対する前記ワイヤレスデバイスの方向情報を取得することと、
前記方向情報を前記ワイヤレスデバイスに送信することと、
をさらに備える、上記Ｃ３８に記載の方法。
［Ｃ４３］
前記方向情報は、前記選択されたランドマーク情報からの前記ワイヤレスデバイスの方向および距離のうちの１つまたは複数を含む、上記Ｃ４２に記載の方法。
［Ｃ４４］
前記ランドマーク情報は、ランドマークの名称、構造物、建物、通り、住所、交差点、ロケーションを表すグラフィック、およびロケーションを表すアイコンのうちの１つまたは複数を備える、上記Ｃ３８に記載の方法。
［Ｃ４５］
ロケーション情報を送信するように構成された少なくとも１つのプロセッサであって、
ワイヤレスデバイスのロケーションを受信する第１のモジュールと、
前記ワイヤレスデバイスの前記ロケーションから第１の範囲内のランドマーク情報の第１のセットを取得する第２のモジュールと、
ランドマーク情報の前記第１のセットに含まれるランドマーク情報の数がサーチ結果しきい値を満たすかどうかを決定する第３のモジュールと、
ランドマーク情報の前記第１のセットが前記サーチ結果しきい値を満たすときに、ランドマーク情報の前記第１のセットを前記ワイヤレスデバイスに送信する第４のモジュールと、
を備える少なくとも１つのプロセッサ。
［Ｃ４６］
コンピュータ可読媒体を備えるコンピュータプログラム製品であって、
前記コンピュータ可読媒体は、
コンピュータに、ワイヤレスデバイスのロケーションを受信させる、少なくとも１つの命令と、
前記コンピュータに、前記ワイヤレスデバイスの前記ロケーションから第１の範囲内のランドマーク情報の第１のセットを取得させる、少なくとも１つの命令と、
前記コンピュータに、ランドマーク情報の前記第１のセットに含まれるランドマーク情報の数がサーチ結果しきい値を満たすかどうかを決定させる、少なくとも１つの命令と、
前記コンピュータに、ランドマーク情報の前記第１のセットが前記サーチ結果しきい値を満たすときに、ランドマーク情報の前記第１のセットを前記ワイヤレスデバイスに送信させる、少なくとも１つの命令と、
を備える、コンピュータプログラム製品。
［Ｃ４７］
装置であって、
ワイヤレスデバイスのロケーションを受信する手段と、
前記ワイヤレスデバイスの前記ロケーションから第１の範囲内のランドマーク情報の第１のセットを取得する手段と、
ランドマーク情報の前記第１のセットに含まれるランドマーク情報の数がサーチ結果しきい値を満たすかどうかを決定する手段と、
ランドマーク情報の前記第１のセットが前記サーチ結果しきい値を満たすときに、ランドマーク情報の前記第１のセットを前記ワイヤレスデバイスに送信する手段と、
を備える、装置。
［Ｃ４８］
ロケーション情報を送信する装置であって、
ワイヤレスデバイスのロケーションを受信するように動作可能な受信コンポーネントと、
前記ワイヤレスデバイスの前記ロケーションから第１の範囲内のランドマーク情報の第１のセットを取得し、ランドマーク情報の前記第１のセットに含まれるランドマーク情報の数がサーチ結果しきい値を満たすかどうかを決定するように動作可能なランドマーク取得コンポーネントと、
ランドマーク情報の前記第１のセットが前記サーチ結果しきい値を満たすときに、ランドマーク情報の前記第１のセットを前記ワイヤレスデバイスに送信するように動作可能な送出コンポーネントと、
を備える装置。
［Ｃ４９］
前記ランドマーク取得コンポーネントは、さらに、ランドマーク情報の前記第１のセットが前記サーチ結果しきい値を満たさないときに、前記ワイヤレスデバイスの前記ロケーション情報から第２の範囲内のランドマーク情報の第２のセットを取得するように動作可能であり、
前記送出コンポーネントは、さらに、ランドマーク情報の前記第１のセットおよびランドマーク情報の前記第２のセットを前記ワイヤレスデバイスに送信するように動作可能である、上記Ｃ４８に記載の装置。
［Ｃ５０］
前記第１の範囲は、前記第２の範囲よりも小さい、上記Ｃ４８に記載の装置。
［Ｃ５１］
前記受信コンポーネントは、さらに、前記ワイヤレスデバイスからランドマーク情報の選択を受信するように動作可能であり、
前記ランドマーク取得コンポーネントは、さらに、前記選択されたランドマーク情報に関連づけられた画像を読み出すように動作可能であり、
前記送出コンポーネントは、さらに、前記読み出された画像を前記ワイヤレスデバイスに送信するように動作可能である、
上記Ｃ４８に記載の装置。
［Ｃ５２］
前記受信コンポーネントは、さらに、前記ワイヤレスデバイスからランドマーク情報の選択を受信するように動作可能であり、
前記ランドマーク取得コンポーネントは、さらに、前記選択されたランドマーク情報に対する前記ワイヤレスデバイスの方向情報を取得するように動作可能であり、
前記送出コンポーネントは、さらに、前記方向情報を前記ワイヤレスデバイスに送信するように動作可能である、
上記Ｃ４８に記載の装置。
［Ｃ５３］
前記方向情報は、前記選択されたランドマーク情報からの前記ワイヤレスデバイスの方向および距離のうちの１つまたは複数を含む、上記Ｃ５２に記載の装置。
［Ｃ５４］
前記ランドマーク情報は、ランドマークの名称、構造物、建物、通り、住所、交差点、ロケーションを表すグラフィック、およびロケーションを表すアイコンのうちの１つまたは複数を備える、上記Ｃ４８に記載の装置。
【図１】
0006396413.tif 000003
【図２】
0006396413.tif 000004
【図３】
0006396413.tif 000005
【図４】
0006396413.tif 000006
【図５】
0006396413.tif 000007
【図６】
0006396413.tif 000008
【図７】
0006396413.tif 000009
【図８】
0006396413.tif 000010
【図９】
0006396413.tif 000011
【図１０】
0006396413.tif 000012
【図１１】
0006396413.tif 000013
【図１２】
0006396413.tif 000014
【図１３】
0006396413.tif 000015
【図１４】
0006396413.tif 000016
【図１５】
0006396413.tif 000017
【図１６】
0006396413.tif 000018